(57)【要約】【課題】袖瓦の葺設状態で小動物（雀や蝙蝠等）がケラバと袖瓦との間の空間部から造巣場所となる奥部空所まで侵入しないようにすること。【解決手段】屋根５のケラバ６を被覆する袖瓦において、袖瓦本体１の内面に、袖瓦をケラバ６に葺設した状態で袖瓦本体１の内面１ａとケラバ６の外面（上面６ａ又は側面６ｂ）との間に形成された空間部Ｓから雀や蝙蝠等の小動物が侵入するのを阻止する遮蔽部４を一体形成していることにより、屋根板と瓦との間の造巣場所Ｓｃに上記小動物が侵入するのを阻止し得るようにしている。【選択図】  図３
2018040198.tif 000002
【特許請求の範囲】
【請求項１】
屋根（５）のケラバ（６）を被覆する袖瓦であって、袖瓦本体（１）には上記ケラバ（６）の上面（６ａ）を被覆する上面被覆部（２）と上記ケラバ（６）の側面（６ｂ）を被覆する側面被覆部（３）とを一体に有し、上記側面被覆部（３）を上記上面被覆部（２）に対して尻部（１１）側から頭部（１２）側に向けて側面被覆部（３）の厚さ分だけ外側にはみ出すような直線状の傾斜状態とし、上記ケラバ（６）に対して下段側袖瓦の尻部（１１）の外側に上段側袖瓦の頭部（１２）を所定長さ重合させた状態で各袖瓦を葺設したときに上・下段の袖瓦が重合する部分の厚さによって上記袖瓦本体（１）の内面（１ａ）と上記ケラバ（６）の外面（６ａ，６ｂ）との間に小動物が侵入し得る大きさの空間部（Ｓ）が形成されるように構成された袖瓦において、
上記袖瓦本体（１）の内面に、袖瓦をケラバ（６）に葺設した状態で上記空間部（Ｓ）から上記小動物が侵入するのを阻止する遮蔽部（４）を一体形成している、
ことを特徴とする袖瓦。
【請求項２】
請求項１において、
上記遮蔽部（４）は、上記上面被覆部（２）における上記側面被覆部（３）の近傍位置の下面から下向きに延出する薄板（４１）を採用している、
ことを特徴とする袖瓦。
【請求項３】
請求項１において、
上記遮蔽部（４）は、上記側面被覆部（３）の内面に一体形成した肉厚部（４２）を採用している、
ことを特徴とする袖瓦。
【請求項４】
請求項１において、
上記袖瓦本体（１）は、上記側面被覆部（３）を袖瓦本体（１）の左右両側に対称形に形成して左右両袖瓦兼用としたものを採用し、
上記遮蔽部（４）は、上記袖瓦本体（１）の下面における左右両側面被覆部（３，３）間の中央位置に該両側面被覆部（３，３）から等角度間隔をもつ方向に延出する薄板（４３）を採用している、
ことを特徴とする袖瓦。
【発明の詳細な説明】
【技術分野】
【０００１】
本願発明は、屋根のケラバに葺設される袖瓦に関し、特に袖瓦を屋根のケラバに葺設した状態で袖瓦本体の内面とケラバの外面との間に小動物（雀や蝙蝠等）が侵入し得る空間部が形成される形態となる構造の袖瓦に関するものである。
【０００２】
ここで、本願で使用するいくつかの用語について定義しておくと、「ケラバ」とは、屋根（切妻屋根）の側端部を意味する業界用語であって、ここでは屋根板の側端部付近（破風板を含む）を指すものである。又、「尻部」とは瓦における棟側の端部のことであり、「頭部」とは瓦における軒先側の端部のことである。尚、本願の袖瓦は、業界用語でケラバ瓦と称されることがある。
【背景技術】
【０００３】
屋根の側端部であるケラバには、袖瓦が葺設される。図１０には従来の袖瓦Ｙの一例を示し、図１１〜図１４には図１０の袖瓦Ｙを使用したケラバ６付近の屋根構造を示している。図１０（従来例）の袖瓦Ｙは、図１１〜図１４に示すようにケラバ６の上面６ａ（屋根板５１の上面）を被覆する上面被覆部（一般に袖瓦本体部と称されている）２とケラバ６の側面６ｂ（破風板５２の側面）を被覆する側面被覆部（一般に袖瓦垂れ部と称されている）３とを直角方向に連続させた状態で一体成形したものである。尚、この種の袖瓦は、右袖用のものと左袖用のものと左右両袖兼用のものとがあるが、図１０〜図１４に例示のものは左袖用のものである。
【０００４】
この従来例（図１０）の袖瓦Ｙは、図１１及び図１２に示すように屋根（切妻屋根）５のケラバ６部分に葺設されるが、この袖瓦葺設状態では、下段側と上段側の各袖瓦Ｙ，Ｙを屋根傾斜方向に隙間無しに連続させるために、下段側袖瓦Ｙの尻部１１の外側に上段側袖瓦Ｙの頭部１２を所定長さ（寸法Ｌ＝７〜８cm程度）重合させている。尚、下段側袖瓦Ｙと上段側袖瓦Ｙとの重合（符号Ｌ部分）は、ケラバ６の側面６ｂを被覆する側面被覆部３，３においても実施されている。
【０００５】
ところで、上・下段の各袖瓦Ｙ，Ｙにおける各側面被覆部３，３を屋根傾斜方向に隙間無しに連結させる形態としては、例えば特開２０００−３２００７５号公報（特許文献１）の図１２に示されるように、袖瓦の側面被覆部における頭部側に段差をもった状態で外向きの膨出部を設けて、その膨出部で下段側袖瓦の側面被覆部の尻部側を所定長さ（図１０、図１１の寸法Ｌ）被覆するようにしたものがある。この公知例の袖瓦を用いた袖瓦葺設状態では、上・下段の各袖瓦を一部重合させた状態で且つ各袖瓦の側面被覆部の全長をそれぞれケラバの側面に近接させた状態で葺設できるので、袖瓦の側面被覆部とケラバ側面との間に雀や蝙蝠等の小動物が侵入する空間部はできない。ところが、この公知例（特許文献１）の袖瓦では、側面被覆部の頭部に膨出部用の段差を設ける必要があるので、袖瓦成形金型が複雑となるとともに、瓦焼成時に膨出部が収縮変形することがあり、該膨出部の変形が大きくなった袖瓦では該膨出部を下段側袖瓦の側面被覆部の尻部にうまく被せられない事態が発生することがある（不良品発生率が高くなる）。
【０００６】
そこで、袖瓦の側面被覆部の形状を単純化するとともに、下段側袖瓦の側面被覆部の尻部の外側に上段側袖瓦の側面被覆部の頭部を所定長さ重合させた状態で各袖瓦を葺設するのに、従来から図１０に示す袖瓦Ｙを用いて図１１〜図１４に示すように施工することが行われている。
【０００７】
図１０（従来例）に示す袖瓦Ｙの側面被覆部３は、所定高さを有した直線状の板形状であって、上面被覆部２に対して尻部１１側から頭部１２側に向けて側面被覆部３の厚さ分程度（例えば２０〜２５mm程度）だけ外側にはみ出すような傾斜状態（傾斜角度ａ＝３〜４°）で上面被覆部２の側部に一体化させたものである。尚、このように、側面被覆部３を直線状に一体化させたものでは、該側面被覆部３が単純形状になるので、上記公知例（特許文献１の図１２）の袖瓦に比して袖瓦Ｙ全体の製造が容易となる。
【０００８】
そして、図１０の袖瓦Ｙを図１１及び図１２に示すように屋根５のケラバ６部分に葺設した状態では、下段側袖瓦Ｙの尻部１１の外側に上段側袖瓦Ｙの頭部１２が所定長さ（寸法Ｌ）重合している。このとき、側面被覆部３の頭部１２側が若干角度（図１０の角度ａ＝３〜４°）だけ外向きに傾斜しているので、上・下各段の袖瓦Ｙ，Ｙの上面被覆部２，２が屋根傾斜方向と同方向に向いていても、下段側袖瓦Ｙの側面被覆部３の尻部１１が内側で上段側袖瓦Ｙの側面被覆部３の頭部１２が外側となる重合状態で設置できる。尚、図１２及び図１３において符号５３は、屋根傾斜方向に等間隔で屋根板５１上に取付けた瓦桟であって、該各瓦桟５３，５３に各段の瓦（袖瓦も含む）の尻部１１を係止させることによって、各瓦を位置決めしている。
【先行技術文献】
【特許文献】
【０００９】
【特許文献１】特願２０００−３２００７５号公報（図１２）
【発明の概要】
【発明が解決しようとする課題】
【００１０】
ところで、図１０に示す従来の袖瓦Ｙを使用した図１２の袖瓦葺設状態において、下段側袖瓦Ｙと上段側袖瓦Ｙとが重合している部分（図１２のＸIII−ＸIII断面部分）では、図１３に示すように上段側（外側）袖瓦Ｙの内面Ｙａとケラバ６の外面（上面６ａ及び側面６ｂ）との間に下段側（内側）袖瓦Ｙの尻部１１が介在されているので、上段側（外側）袖瓦Ｙの内面Ｙａとケラバ６の外面（６ａ，６ｂ）との間にほとんど空間部は存在しない。
【００１１】
ところが、図１２の袖瓦葺設状態において、上段側（外側）袖瓦Ｙにおける下段側（内側）袖瓦との重合部より上側位置（例えば図１２のＸIV−ＸIV断面部分）では、図１４に示すように上段側袖瓦Ｙの内面Ｙａとケラバ６の外面（６ａ，６ｂ）との間に小動物（雀や蝙蝠等）が侵入し得る大きさの空間部Ｓが形成されている。
【００１２】
この空間部Ｓは、図１４に示すようにケラバ６の側面６ｂと側面被覆部３との間の縦向き空間部Ｓｂとケラバ６の上面６ａと上面被覆部２との間の横向き空間部Ｓａとが連続する状態で形成されたものである。上記縦向き空間部Ｓｂは、比較的狭い幅（最大幅で２５〜３０mm程度）であるが雀や蝙蝠等の小動物が侵入するのに十分な幅を有している。他方、上記横向き空間部Ｓａは、雀や蝙蝠等の小動物が巣を造り得る程度の上下スペースを有しており、該横向き空間部Ｓａの奥部空所Ｓｃが雀や蝙蝠等の小動物の棲み家となることが多々ある。尚、以下の説明では、横向き空間部Ｓａの上記奥部空所Ｓｃを造巣場所ということがある。
【００１３】
そして、図１０（従来例）の袖瓦Ｙでは、ケラバ６部分に葺設した際に袖瓦Ｙの内面Ｙａとケラバ６の外面（６ａ，６ｂ）との間に小動物が侵入し得る空間部Ｓができるので、上記縦向き空間部Ｓｂ及び横向き空間部Ｓａを通って小動物が侵入して、瓦と屋根板との間の奥部空所（造巣場所）Ｓｃに巣の材料や小動物の糞が等が蓄積したり（掃除は極めて困難である）、縦向き空間部Ｓｂの出入口付近が巣の材料や糞で汚れる（美観を損ねる）という問題があった。
【００１４】
そこで、本願発明は、ケラバに葺設される袖瓦において、側面被覆部を直線状の単純形状としたものであっても、小動物（雀や蝙蝠等）がケラバと袖瓦との間の空間部から造巣場所となる奥部空所まで侵入しないようにした構造の袖瓦を提供することを目的としてなされたものである。
【課題を解決するための手段】
【００１５】
本願発明は、上記課題を解決するための手段として次の構成を有している。尚、本願の各請求項（１〜４）の発明の説明に当たっては、添付の図１〜図１０に例示したものを参照する。
【００１６】
［本願請求項１の発明］
本願請求項１の発明は、添付の図１〜図９に例示するように、屋根５のケラバ６を被覆する袖瓦を対象にしている。尚、この請求項１の袖瓦は、図１〜図９に共通するものである。
【００１７】
本願請求項１の発明の袖瓦は、袖瓦本体１としてケラバ６の上面６ａを被覆する上面被覆部２とケラバ６の側面６ｂを被覆する側面被覆部３とを一体に有したものを採用し、側面被覆部３は、上面被覆部２に対して尻部１１側から頭部１２側に向けて側面被覆部３の厚さ分だけ外側にはみ出すような直線状の傾斜状態に形成したものであり、さらにケラバ６に対して下段側袖瓦の尻部１１の外側に上段側袖瓦の頭部１２を所定長さ重合させた状態で各袖瓦を葺設したときに上・下段の袖瓦が重合する部分の厚さによって袖瓦本体１の内面１ａとケラバ６の外面（上面６ａ及び側面６ｂ）との間に小動物が侵入し得る大きさの空間部Ｓが形成されるように構成されたものを前提としている。
【００１８】
尚、上記空間部Ｓは、上面被覆部２とケラバ６の上面６ａとの間の横向き空間部Ｓａと、側面被覆部３とケラバ６の側面６ｂとの間の縦向き空間部Ｓｂとが連続するものであるが、雀や蝙蝠等の小動物が棲み家とするのは上記横向き空間部Ｓａにおける奥部空所（造巣場所と表現することもある）Ｓｃである。
【００１９】
そして、本願請求項１の発明は、上記構成の袖瓦において、袖瓦本体１の内面に、袖瓦をケラバ６に葺設した状態で上記空間部Ｓを遮蔽する遮蔽部４を一体形成していることを特徴としている。
【００２０】
本願の袖瓦を屋根のケラバ６に葺設した状態では、上・下段の袖瓦における側面被覆部３が外側に傾斜し且つ下段側袖瓦の側面被覆部３の尻部１１の外側に上段側袖瓦の側面被覆部３の頭部１２が所定長さＬ（図２、図４、図６、図８参照）だけ重合していることにより、上・下段の袖瓦における非重合部分（例えば図２のIII−III断面部分）には、例えば図３に示すように、上面被覆部２とケラバ６の上面６ａとの間に横向き空間部Ｓａが形成されている一方、側面被覆部３とケラバ６の側面６ｂとの間に縦向き空間部Ｓｂが形成されている。図３において、縦向き空間部Ｓｂにおける最大幅部分は雀や蝙蝠等の小動物が浸入し得るスペース（幅が２５〜３０mm程度ある）を有し、横向き空間部Ｓａは該小動物が巣を造り得る上下スペースを有している。そして、本願の遮蔽部４がない袖瓦（図１０の従来例の袖瓦Ｙ）では、図１４に矢印Ａで示すように雀や蝙蝠等の小動物が縦向き空間部Ｓｂ及び横向き空間部Ｓａを通って奥部空所Ｓｃまで侵入し、その奥部空所Ｓｃを棲み家（造巣場所）とすることが多々ある。
【００２１】
そこで、本願請求項１の袖瓦では、袖瓦本体１の内面に、袖瓦をケラバ６に葺設した状態で上記空間部Ｓ（横向き空間部Ｓａ又は縦向き空間部Ｓｂ）を遮蔽する遮蔽部４を設けていることで、ケラバ６と袖瓦との間にある空間部Ｓから雀や蝙蝠等の小動物が浸入するのを阻止できるようにしている。
【００２２】
尚、この請求項１で採用される袖瓦は、右袖専用のものと左袖専用のものと左右両袖兼用のものとがあるが、それらの用途に応じて袖瓦本体１の形状を設定できる。
【００２３】
［本願請求項２の発明］
本願請求項２の発明は、上記請求項１の袖瓦において、上記遮蔽部４として上面被覆部２における側面被覆部３の近傍位置（側面被覆部３の内面から若干離間する位置）の下面から下向きに延出する薄板４１を採用していることを特徴としている。尚、この請求項２の対応図面は図１〜図４である。
【００２４】
この請求項２（図１）の袖瓦Ｚ１では、図２〜図４に示す袖瓦葺設状態において、遮蔽部４となる薄板４１が上面被覆部２の下面からケラバ６の上面６ａに近接する位置まで垂下して、該薄板４１で上面被覆部２とケラバ６の上面６ａとの間の横向き空間部Ｓａを遮蔽するようになっている。尚、この薄板４１は、図４に示すように上・下段の各袖瓦が重合する部分（符号Ｌ，Ｌの範囲）を除く部分のほぼ全長Ｍの範囲で形成している。
【００２５】
従って、この請求項２の袖瓦を用いた袖瓦葺設構造では、側面被覆部３とケラバ側面間の縦向き空間部Ｓｂは開放されたままであるので、該縦向き空間部Ｓｂに上記小動物が侵入可能であるが、遮蔽部４となる薄板４１が横向き空間部Ｓａの入口部分を遮蔽しているので、それ以上、横向き空間部Ｓａの内方（奥部空所Ｓｃ）には侵入できないようになっている。尚、この請求項２の場合は、上記縦向き空間部Ｓｂには小動物が侵入可能であるが、該縦向き空間部Ｓｂは狭くて小動物が棲み家とする環境ではないので、該縦向き空間部Ｓｂに小動物が居着くことはない。
【００２６】
［本願請求項３の発明］
本願請求項３の発明は、上記請求項１の袖瓦において、上記遮蔽部４として側面被覆部３の内面に一体形成した肉厚部４２を採用していることを特徴としている。尚、この請求項３の対応図面は図５〜図６である。
【００２７】
この請求項３（図５）の袖瓦Ｚ２では、図６に示す袖瓦葺設状態において、遮蔽部４となる肉厚部４２が側面被覆部３とケラバ６の側面６ｂとの間に介在されて、該肉厚部４２で側面被覆部３とケラバ６の側面６ｂとの間の縦向き空間部Ｓｂを遮蔽するようにしている。この縦向き空間部Ｓｂは、上記空間部Ｓ全体の入口となるもので、この縦向き空間部Ｓｂを肉厚部４２で遮蔽することで、小動物の棲み家となる横向き空間部Ｓａの奥部空所Ｓｃには侵入できないようになっている。
【００２８】
［本願請求項４の発明］
本願請求項４の発明は、上記請求項１の袖瓦において、袖瓦本体１として側面被覆部３を袖瓦本体１の左右両側に対称形に形成して左右両袖兼用としたものを採用し、遮蔽部４として袖瓦本体１の下面における左右両側面被覆部３，３間の中央位置に該両側面被覆部３，３から等角度間隔をもつ方向に延出する薄板４３を採用していることを特徴としてる。尚、この請求項４の対応図面は図７〜図９である。
【００２９】
この請求項４（図７）の袖瓦Ｚ３は、単一のもので左右いずれのケラバ６にも適用できる左右兼用型に形成されたものである。即ち、いずれか一方（例えば右側）の側面被覆部３でケラバ側面６ｂを被覆した場合はいずれか他方（例えば左側）の側面被覆部３がケラバ上面を被覆する上面被覆部２として機能するようになっている。
【００３０】
又、この請求項４（図７）の袖瓦Ｚ３では、図８〜図９に示す袖瓦葺設状態において、遮蔽部４となる薄板４３が袖瓦本体１の下面からケラバ６の上面６ａに近接する位置まで斜め方向に垂下して、該薄板４３で袖瓦本体１とケラバ６の上面６ａとの間の横向き空間部Ｓａを遮蔽するようになっている。
【発明の効果】
【００３１】
［本願請求項１の発明の効果］
本願発明で対象にしている袖瓦は、側面被覆部３を直線状の単純形状とし、且つ屋根のケラバ６部分に上・下段の袖瓦の側面被覆部３，３同士を一部重合させた状態で各袖瓦を葺設することにより、袖瓦本体１の内面とケラバ６の外面との間に雀や蝙蝠等の小動物が侵入し得る空間部Ｓが生じるように構成したものである。
【００３２】
そして、本願請求項１の袖瓦は、袖瓦本体１の内面に、袖瓦葺設状態で袖瓦本体１の内面１ａとケラバ６の外面６ａ，６ｂとの間に形成される空間部Ｓを遮蔽する遮蔽部４を一体形成しているので、袖瓦葺設状態では袖瓦本体１の内面とケラバ６の外面との間に形成される空間部Ｓを上記遮蔽部４で自動的に遮蔽することができる。
【００３３】
従って、本願請求項１の袖瓦では、ケラバ６に葺設するだけで上記空間部Ｓを遮蔽部４で確実に遮蔽できるので、該空間部Ｓから雀や蝙蝠等の小動物が侵入するのを確実に阻止できるという効果がある。尚、上記空間部Ｓを遮蔽できると、従来のように雀や蝙蝠等の小動物が棲み家とする横向き空間部Ｓａの奥部空所Ｓｃまで侵入することによって生じる弊害を未然に防止できる。
【００３４】
［本願請求項２の発明の効果］
本願請求項２の発明は、上記請求項１の袖瓦における遮蔽部４の構造を特定したもので、この請求項２の袖瓦Ｚ１では、上記遮蔽部４として上面被覆部２の下面から下向きに延出する薄板４１を採用して、該薄板４１で上面被覆部２とケラバ６の上面６ａとの間の横向き空間部Ｓａを遮蔽するようにしたものである。
【００３５】
従って、この請求項２の袖瓦Ｚ１を用いた袖瓦葺設構造では、縦向き空間部Ｓｂは開放されたままであるが、横向き空間部Ｓａの入口部分が遮蔽部４となる薄板４１で遮蔽されているので、上記請求項１と同様に雀や蝙蝠等の小動物が棲み家となる横向き空間部Ｓａの奥部空所Ｓｃまで侵入するのを阻止できる効果がある。
【００３６】
［本願請求項３の発明の効果］
本願請求項３の発明も、上記請求項１の袖瓦における遮蔽部４の構造を特定したもので、この請求項３の袖瓦Ｚ２では、上記遮蔽部４として側面被覆部３の内面に一体形成した肉厚部４２を採用して、該肉厚部４２で側面被覆部３とケラバ６の側面６ｂとの間の縦向き空間部Ｓｂを遮蔽するようにしたものである。
【００３７】
従って、この請求項３の袖瓦Ｚ２を用いた袖瓦葺設構造では、上記空間部Ｓの入口となる縦向き空間部Ｓｂが肉厚部４２（遮蔽部４となる）で遮蔽されているので、上記請求項１と同様に雀や蝙蝠等の小動物が棲み家となる横向き空間部Ｓａの奥部空所Ｓｃまで侵入するの阻止できる効果がある。
【００３８】
［本願請求項４の発明の効果］
本願請求項４の発明は、上記請求項１の袖瓦において、袖瓦本体１として側面被覆部３を袖瓦本体１の左右両側に対称形に形成して左右両袖兼用としたものを採用し、遮蔽部４として袖瓦本体１の下面における左右両側面被覆部３，３間の中央位置に該両側面被覆部３，３から等角度間隔をもつ方向に延出する薄板４３を採用したものである。
【００３９】
従って、この請求項４の袖瓦Ｘ３では、上記請求項１の袖瓦と同様に袖瓦葺設状態で上記空間部Ｓを遮蔽部４（薄板４３）で確実に遮蔽できるとともに、左右両袖兼用の袖瓦Ｚ３であっても、単一の遮蔽部４（薄板４３）で左右各側に生じる空間部Ｓをそれぞれ遮蔽できるという効果がある。
【図面の簡単な説明】
【００４０】
【図１】本願第１実施例の袖瓦（左袖用）であって、内面側を上にした状態での斜視図である。
【図２】図１の袖瓦を用いた袖瓦葺設構造の平面図である。
【図３】図２のIII−III断面図である。
【図４】図２のIV−IV断面図である。
【図５】本願第２実施例の袖瓦（左袖用）であって、内面側を上にした状態での斜視図である。
【図６】図５の袖瓦を用いた袖瓦葺設構造の平面図（図２相当図）である。
【図７】本願第３実施例の袖瓦（左右両袖兼用）であって、内面側を上にした状態での斜視図である。
【図８】図７の袖瓦を用いた袖瓦葺設構造の平面図（図２、図６相当図）である。
【図９】図８のIX−IX断面図である。
【図１０】従来例の袖瓦であって、内面側を上にした状態での斜視図である。
【図１１】図１０（従来例）の袖瓦を用いた袖瓦葺設構造の斜視図である。
【図１２】図１０（従来例）の袖瓦を用いた袖瓦葺設構造の平面図である。
【図１３】図１２のＸIII−ＸIII断面図である。
【図１４】図１２のＸIV−ＸIV断面図である。
【発明を実施するための形態】
【００４１】
以下、図１〜図９を参照して本願のいくつかの実施例を説明すると、図１〜図４には本願第１実施例の袖瓦Ｚ１とその葺設状態を示し、図５〜図６には本願第２実施例の袖瓦Ｚ２とその葺設状態を示し、図７〜図９には本願第３実施例の袖瓦Ｚ３とその葺設状態を示している。又、図１〜図４の第１実施例は本願請求項１及び２に対応するものであり、図５〜図６に示す第２実施例は本願請求項１及び３に対応するものであり、図７〜図９に示す第３実施例は本願請求項１及び４に対応するものである。
【００４２】
［図１〜図４の第１実施例］
図１に示す本願第１実施例の袖瓦Ｚ１は、図２〜図４に示すように屋根（切妻屋根）５のケラバ６部分に葺設されるものであって、ケラバ６の上面６ａを被覆する上面被覆部２とケラバ６の側面６ｂを被覆する側面被覆部３とを直角状態で連続させた袖瓦本体１を用いているとともに、この袖瓦本体１の内面に後述する遮蔽部４を一体形成したものである。尚、この第１実施例の袖瓦Ｚ１は、左袖用のものであって、右袖用では側面被覆部３が上面被覆部２に対して左右逆位置に設けられる。
【００４３】
この第１実施例の袖瓦Ｚ１における袖瓦本体１（上記遮蔽部４を除く部分）は、図１０に示す従来例の袖瓦Ｙと同じものを採用している。即ち、図１に示す袖瓦Ｚ１の袖瓦本体１部分は、上面被覆部２の左右一方の側部に、所定高さを有した直線状の板形状からなる側面被覆部３を直角方向に一体化させているとともに、側面被覆部３を上面被覆部２に対して尻部１１側から頭部１２側に向けて側面被覆部３の厚さ分程度（例えば２０〜２５mm程度）だけ外側にはみ出すような傾斜状態（傾斜角度ａ＝３〜４°）としている。
【００４４】
そして、図１の袖瓦Ｚ１は、図２に示すように屋根５のケラバ６部分に連続して葺設されるが、この各袖瓦Ｚ１の葺設状態では、図１１及び図１２の従来例と同様に、下段側袖瓦Ｚ１の尻部１１上に上段側袖瓦Ｚの頭部１２が所定長さＬ（Ｌ＝７〜８cm程度）だけ重合している。このとき、側面被覆部３の頭部１２側が若干角度（図１の角度ａ＝３〜４°）だけ外向きに傾斜しているので、上・下各段の袖瓦Ｚ１，Ｚ１の上面被覆部２，２が屋根傾斜方向と同方向に向いていても、下段側袖瓦Ｚ１の側面被覆部３の尻部１１が内側で上段側袖瓦Ｚ１の側面被覆部３の頭部１２が外側となる重合状態（図２の符号Ｌ）で設置できる。尚、下段側袖瓦Ｚ１と上段側袖瓦Ｚ１との重合（符号Ｌ部分）は、ケラバ６の側面を被覆する側面被覆部３，３においても実施されている。
【００４５】
ところで、第１実施例の袖瓦Ｚ１の前提として、側面被覆部３を上記構成（直線状で上面被覆部２に対して傾斜させていること）としている理由は、図１０〜図１２に示す従来例の場合と同じであるので、上記理由については重複説明を避けるために上記従来例の説明を援用する。
【００４６】
この第１実施例の袖瓦Ｚ１を用いた図２〜図４の袖瓦葺設構造でも、袖瓦本体１の内面とケラバ６の外面（上面６ａ及び側面６ｂ）との間に雀や蝙蝠等の小動物が侵入し得る大きさの空間部Ｓが形成されるが、この空間部Ｓは、後述の遮蔽部４がないものでは、上記従来例と同様に、上面被覆部２とケラバ上面６ａとの間の横向き空間部Ｓａと、側面被覆部３とケラバ側面６ｂとの間の縦向き空間部Ｓｂとが連続したものである。上記縦向き空間部Ｓｂは、図２に示すように頭部１２側が広く尻部１１側が狭い平面視クサビ形のものであるが、該縦向き空間部Ｓｂの頭部１２寄り位置（図２のIII−III断面線付近）は図３に示すようにかなりの幅（例えば２５〜３０mm幅）を有していて、該縦向き空間部Ｓｂにおける広幅部分は雀や蝙蝠等の小動物が侵入し得るスペースとなる。尚、図３において横向き空間部Ｓａの奥部空所Ｓｃ（図３）が雀や蝙蝠等の小動物の棲み家（造巣場所）となるものであるが、後述する本願の遮蔽部４がないものでは、上記小動物がケラバ６部分の縦向き空間部Ｓｂ及び横向き空間部Ｓａを通って奥部空所Ｓｃまで侵入して、そこで巣造りすることが多々ある。
【００４７】
図１〜図４に示す第１実施例の袖瓦Ｚ１には、図２〜図４に示す袖瓦葺設状態において上記空間部Ｓを遮蔽し得る遮蔽部４を設けている。
【００４８】
この第１実施例の袖瓦Ｚ１に設けている遮蔽部４は、上面被覆部２における側面被覆部３に近接する位置の下面（図１では上面）から下向き（図１では上向き）に延出する薄板４１を採用している。この遮蔽部４となる薄板４１は、図２に示すように側面被覆部３の内面近傍位置において上面被覆部２の中心線と平行方向に向き、且つ図４に示すように上・下段の各袖瓦Ｚ１，Ｚ１が重合する部分（符号Ｌの範囲）を除く部分のほぼ全長Ｍの範囲で、上面被覆部２の下面から下向きに一体形成している。この薄板４１の厚さは、特に限定するものではないが５mm程度が適当である。尚、この薄板４１部分には、必要に応じて補強材を設けてもよい。
【００４９】
そして、この第２実施例の袖瓦Ｚ１を用いた袖瓦葺設状態では、図２〜図４に示すように、上・下段の各袖瓦Ｚ１，Ｚ１における上面被覆部２の下面とケラバ上面６ａとの間の横向き空間部Ｓａの入口部分が遮蔽部４となる薄板４１で遮蔽されるようになっている。従って、この第１実施例の袖瓦Ｚ１では、ケラバ６に葺設するだけで、遮蔽部４となる薄板４１により横向き空間部Ｓａの入口部分を遮蔽できるので、該横向き空間部Ｓａの奥部空所（造巣場所）Ｓｃに雀や蝙蝠等の小動物が侵入するのを確実に阻止し得る。このように、袖瓦Ｚ１で上記横向き空間部Ｓａの入口部分を遮蔽できると、従来のように雀や蝙蝠等の小動物が造巣場所となる横向き空間部Ｓａの奥部空所Ｓｃまで侵入することによって生じる弊害（巣の材料や小動物の糞で汚れること）を未然に防止できる。
【００５０】
尚、この第１実施例の袖瓦Ｚ１を用いた袖瓦葺設状態では、図３に示すように側面被覆部３とケラバ側面６ｂ間の縦向き空間部Ｓｂが開放されたままであるが、該縦向き空間部Ｓｂは狭くて小動物が棲み家とする環境ではないので、該縦向き空間部Ｓｂに小動物が居着くことはない。
【００５１】
［図５〜図６の第２実施例］
図５に示す第２実施例の袖瓦Ｚ２でも、遮蔽部４を除く袖瓦本体１部分として上記第１実施例（図１）と同じものを採用している。即ち、図５（第２実施例）に示す袖瓦Ｚ２の袖瓦本体１部分は、上面被覆部２の左右一方の側部に、所定高さを有した直線状の板形状からなる側面被覆部３を直角方向に一体化させているとともに、側面被覆部３を上面被覆部２に対して尻部１１側から頭部１２側に向けて側面被覆部３の厚さ分程度だけ外側にはみ出すような傾斜状態（傾斜角度ａ）としている。
【００５２】
そして、図５（第２実施例）の袖瓦Ｚ２にも、袖瓦葺設状態において袖瓦本体１の内面とケラバ６の外面との間の空間部Ｓを遮蔽する遮蔽部４を設けているが、この第２実施例の袖瓦Ｚ２に用いられている遮蔽部４は、側面被覆部３の内面に肉厚部４２を一体形成したものを採用している。
【００５３】
この遮蔽部４となる肉厚部４２は、図６に示すように、袖瓦葺設状態において側面被覆部３とケラバ側面６ｂとの間に形成されるクサビ形状の縦向き空間部Ｓｂを遮蔽するものであって、尻部１１側から頭部１２側に向けて厚さが漸増する形状としている。
【００５４】
上記縦向き空間部Ｓｂは、袖瓦葺設状態において袖瓦本体１とケラバ６の外面との間に形成される空間部Ｓ全体の入口となるもので、この縦向き空間部Ｓｂを遮蔽部４となる肉厚部４２で遮蔽することで、雀や蝙蝠等の小動物が棲み家となる横向き空間部Ｓａの奥部空所Ｓｃへの侵入を確実に阻止できるようになっている。
【００５５】
［図７〜図９の第３実施例］
図７に示す第３実施例の袖瓦Ｚ３は、袖瓦本体１として側面被覆部３を袖瓦本体１の左右両側に対称形に形成して、左右両袖兼用としたものを採用している。即ち、図７に示す第３実施例の袖瓦Ｚ３では、左右中心線を挟んで左右対称となる半円筒形のものが採用されている。
【００５６】
又、図７の袖瓦Ｚ３では、各側の側面被覆部３，３が尻部１１側から頭部１２側に向けて材料の厚さ分（例えば厚さが２０〜２５mm）ずつ拡径するようなテーパー形状（傾斜角度ａ＝３〜４°）に成形して、袖瓦葺設状態では図８に示すように下段側袖瓦Ｚ３の尻部１１の外側に上段側袖瓦Ｚ３の頭部１２が所定長さ（符号Ｌ）だけ重合し得るようにしている。
【００５７】
そして、図７の袖瓦Ｚ３は、図８及び図９に示すようにケラバ６に対してケラバ上面６ａとケラバ側面６ｂに跨がって葺設されるが、そのとき袖瓦本体１の左右各側部のうちのケラバ上面６ａを被覆する部分が上面被覆部２として機能する一方、ケラバ側面６ｂを被覆する部分が側面被覆部３として機能するようになっている。尚、図８及び図９の袖瓦葺設状態では、左右両袖兼用の袖瓦Ｚ３を左袖用として使用しているが、この袖瓦Ｚ３を右袖用として使用すると、上記上面被覆部２と側面被覆部３とが逆になる。
【００５８】
図７に示す第３実施例の袖瓦Ｚ３にも、袖瓦葺設状態で形成される空間部Ｓを遮蔽するための遮蔽部４が設けられている。この第３実施例の袖瓦Ｚ３に設けた遮蔽部４は、袖瓦本体１の下面における中央位置に両側面被覆部３，３から等角度間隔をもつ方向に延出する薄板４３を採用している。
【００５９】
そして、図７の袖瓦Ｚ３は、図８及び図９に示すようにケラバ６の上面６ａと側面６ｂに跨がり、且つ上・下段の各袖瓦Ｚ３，Ｚ３の一部（下段側の尻部１１と上段側の頭部１２）が重合する状態でケラバ６部分に葺設される。尚、この種の左右両袖兼用の袖瓦Ｚ３を使用するケラバ６部分には、その上面角部に屋根傾斜方向に向けて桟木５４が固定されている。
【００６０】
そして、図８及び図９に示す第３実施例の袖瓦葺設状態では、袖瓦本体１の上面部分がケラバ上面６ａを被覆する上面被覆部２となる一方、袖瓦本体１の側面部分がケラバ側面６ｂを被覆する側面被覆部３となるとともに、袖瓦本体１の下面に設けている薄板４３（遮蔽部４となる）の下端がケラバ上面６ａに設けた桟木５４の上面に近接していて、該薄板４３が袖瓦本体１とケラバ上面６ａ（桟木５４の上面）との間の横向き空間部Ｓａを遮蔽するようになっている。尚、図８及び図９の例示では、左袖用の袖瓦葺設状態を示しているが、同一の袖瓦Ｚ３を右袖用に使用しても、上記と同様の機能を達成できる。
【００６１】
従って、図７〜図９に示す第３実施例の袖瓦Ｚ３では、単一のもので左右いずれのケラバ６にも適用できる左右兼用型として使用できるものである。
【符号の説明】
【００６２】
１は袖瓦本体、２は上面被覆部（袖瓦本体部）、３は側面被覆部（袖瓦垂れ部）、４は遮蔽部、５は屋根、６はケラバ、６ａはケラバの上面、６ｂはケラバの側面、１１は尻部、１２は頭部、４１は第１実施例の遮蔽部となる薄板、４２は第２実施例の遮蔽部となる肉厚部、４３は第３実施例の遮蔽部となる薄板、Ｓは空間部、Ｓａは横向き空間部、Ｓｂは縦向き空間部、Ｓｃは奥部空所（造巣場所）、Ｚ１は第１実施例の袖瓦、Ｚ２は第２実施例の袖瓦、Ｚ３は第３実施例の袖瓦である。
【図１】
2018040198.tif 000003
【図２】
2018040198.tif 000004
【図３】
2018040198.tif 000005
【図４】
2018040198.tif 000006
【図５】
2018040198.tif 000007
【図６】
2018040198.tif 000008
【図７】
2018040198.tif 000009
【図８】
2018040198.tif 000010
【図９】
2018040198.tif 000011
【図１０】
2018040198.tif 000012
【図１１】
2018040198.tif 000013
【図１２】
2018040198.tif 000014
【図１３】
2018040198.tif 000015
【図１４】
2018040198.tif 000016